(57)【要約】  破断開放型の単回用量パッケージが、破断開放型の単回用量パッケージを折り畳むために移動可能な少なくとも１つの支持パネルと、スプレッド可能な消耗品を貯蔵するためのシール可能なポケットと、アプリケータと、少なくとも１つの支持パネルに隣接する１つまたは複数のグリップと、を含む。シール可能なポケットは、少なくとも１つの支持パネルに隣接して配置され、破断開放型の単回用量パッケージの折り畳みに応じて、スプレッド可能な消耗品がポケットから出ることができる開口部を形成するように適合された壊れやすい領域を含む。アプリケータは、ポケットの壊れやすい領域に隣接して配置され、これにより使用者の手（複数可）がスプレッド可能な消耗品に接触することを必要とせずに、使用者がアプリケータを使用して表面上のポケットから出る任意のスプレッド可能な消耗品をスプレッドすることを可能にする。１つまたは複数のグリップは、破断開放型の単回用量パッケージのユーザ制御を容易にするように配置され適合される。他の例示的な単回用量パッケージもまた開示される。
2019522595.tif 000002
【特許請求の範囲】
【請求項１】
破断開放型の単回用量パッケージであって、
前記破断開放型の単回用量パッケージを折り畳むように移動可能な少なくとも１つの支持パネルと、
スプレッド可能な消耗品を貯蔵するためのシール可能なポケットであって、前記少なくとも１つの支持パネルに隣接して配置され、前記スプレッド可能な消耗品が前記破断開放型の単回用量パッケージの折り畳みに応じて前記ポケットから出ることができる開口部を形成するように適合された壊れやすい領域を含む、シール可能なポケットと、
使用者の手（複数可）がスプレッド可能な消耗品に接触することを必要とせずに、使用者がアプリケータを使用して表面上の前記ポケットから出る任意のスプレッド可能な消耗品をスプレッドすることを可能にするための前記ポケットの壊れやすい領域に隣接して配置されたアプリケータと、
前記少なくとも１つの支持パネルに隣接する１つまたは複数のグリップであって、前記破断開放型の単回用量パッケージのユーザ制御を容易にするように適合されている、１つまたは複数のグリップと
を備える、破断開放型の単回用量パッケージ。
【請求項２】
前記少なくとも１つの支持パネルが２つの支持パネルを含み、前記支持パネルの少なくとも１つは、前記破断開放型の単回用量パッケージを折り畳むために前記他の支持パネルに対して移動可能である、請求項１に記載の破断開放型パッケージ。
【請求項３】
前記２つの支持パネルが実質的に同じ形状を有する、請求項１または２に記載の破断開放型パッケージ。
【請求項４】
前記１つまたは複数のグリップが少なくとも２つのグリップを含み、前記グリップのうちの１つが前記支持パネルの１つから延び、前記グリップのうちの別の１つが前記他の支持パネルから延びる、請求項１から３のいずれか一項に記載の破断開放型パッケージ。
【請求項５】
前記アプリケータが、前記ポケットから出る任意のスプレッド可能な消耗品を前記表面に運ぶための１つまたは複数の開口部を含む、請求項１から４のいずれか一項に記載の破断開放型パッケージ。
【請求項６】
前記少なくとも１つの支持パネルが、前記アプリケータと前記シール可能なポケットとの間に結合されている、請求項１から５のいずれか一項に記載の破断開放型パッケージ。
【請求項７】
前記アプリケータがシリコーンを含む、請求項１から６のいずれか一項に記載の破断開放型パッケージ。
【請求項８】
前記アプリケータが１つまたは複数のブリッスルを含む、請求項１から７のいずれか一項に記載の破断開放型パッケージ。
【請求項９】
前記アプリケータが１つまたは複数の丸い角を有する、請求項１から８のいずれか一項に記載の破断開放型パッケージ。
【請求項１０】
前記破断開放型の単回用量パッケージが折り畳まれたときに前記アプリケータが実質的に円筒形の形状を有する、請求項１から９のいずれか一項に記載の破断開放型パッケージ。
【請求項１１】
前記アプリケータが、前記ポケットを出る任意のスプレッド可能な消耗品をスプレッドするためのブレードを含む、請求項１から１０のいずれか一項に記載の破断開放型パッケージ。
【請求項１２】
前記アプリケータが、前記表面の１つまたは複数の輪郭に適合するように可撓性である、請求項１から１１のいずれか一項に記載の破断開放型パッケージ。
【請求項１３】
前記パッケージが、折り畳まれたときに蝶形を有する、請求項１から１２のいずれか一項に記載の破断開放型パッケージ。
【請求項１４】
前記１つまたは複数のグリップが、前記少なくとも１つの支持パネルから延びる１つまたは複数の突起を含む、請求項１から１３のいずれか一項に記載の破断開放型パッケージ。
【請求項１５】
前記１つまたは複数のグリップが、前記突起の少なくとも１つに隣接して配置された凹部を含む、請求項１から１４のいずれか一項に記載の破断開放型パッケージ。
【請求項１６】
前記突起の少なくとも１つが実質的に三日月形である、請求項１から１５のいずれか一項に記載の破断開放型パッケージ。
【請求項１７】
前記突起の少なくとも２つが、使用者の指のうちの少なくとも１つを受け入れるための実質的に円形のタッチ面を画定する、請求項１から１６のいずれか一項に記載の破断開放型パッケージ。
【請求項１８】
前記１つまたは複数のグリップがシリコーンを含む、請求項１から１７のいずれか一項に記載の破断開放型パッケージ。
【請求項１９】
前記１つまたは複数のグリップおよび前記アプリケータがモノリシック構造を有する、請求項１から１８のいずれか一項に記載の破断開放型パッケージ。
【請求項２０】
前記少なくとも１つの支持パネルが表面積を有し、前記モノリシックグリップおよびアプリケータが、前記少なくとも１つの支持パネルの前記表面積よりも小さい表面積を有する、請求項１から１９のいずれか一項に記載の破断開放型パッケージ。
【請求項２１】
前記ポケット内に貯蔵されたスプレッド可能な消耗品をさらに含む、請求項１から２０のいずれか一項に記載の破断開放型パッケージ。
【請求項２２】
破断開放型の単回用量パッケージであって、
第１の材料層と、
前記第１の材料層に結合され、スプレッド可能な消耗品を保持するためにその間にポケットを画定する第２の材料層であって、前記ポケットは、前記破断開放型の単回用量パッケージの曲げまたは折り畳みに応じて、前記スプレッド可能な消耗品が前記ポケットから出ることができる開口部を形成するように適合された壊れやすい領域を含む、第２の材料層と、
前記第１の材料層に結合された第３の材料層であって、前記第３の材料層は、前記ポケットの前記壊れやすい領域に隣接して配置されたアプリケータを画定して、使用者の手（複数可）が前記スプレッド可能な消耗品に接触することを必要とせずに、使用者が前記アプリケータを使用して表面上の前記ポケットから出る任意のスプレッド可能な消耗品をスプレッドすることを可能にし、１つまたは複数のグリップは、前記破断開放型の単回用量パッケージのユーザ制御を容易にするように適合されている、第３の材料層と
を備える、破断開放型の単回用量パッケージ。
【発明の詳細な説明】
【技術分野】
【０００１】
関連出願の相互参照
本出願は、ＰＣＴ国際出願であり、２０１６年６月２９日に出願された米国仮出願第６２／３５６，１４６号および２０１６年８月３１日に出願された米国仮出願第６２／３８１，９３２号に対する優先権を主張する。上記の出願の全開示は、参照により本明細書に組み込まれる。
【０００２】
本開示は、操作可能であるスプレッド可能な消耗品の貯蔵容器に関する。
【背景技術】
【０００３】
このセクションは、必ずしも先行技術ではない本開示に関する背景情報を提供する。
【０００４】
貯蔵容器は、通常、薬用クリーム、ゲル、ローションなどの分注可能な物質を貯蔵するために使用される。貯蔵容器は、物質を容器から人の皮膚に押し出すために折り畳まれることがある。いくつかの例では、容器は、物質を人の皮膚にスプレッドするためのパッドを含む。
【発明の概要】
【０００５】
このセクションは、本開示の概要を提供するものであり、その全範囲またはそのすべての特徴の包括的な開示ではない。
【０００６】
本開示の一態様によれば、破断開放型の単回用量パッケージは、破断開放型の単回用量パッケージを折り畳むために移動可能な少なくとも１つの支持パネルと、スプレッド可能な消耗品を貯蔵するためのシール可能なポケットと、アプリケータと、少なくとも１つの支持パネルに隣接する１つまたは複数のグリップと、を含む。シール可能なポケットは、少なくとも１つの支持パネルに隣接して配置され、破断開放型の単回用量パッケージの折り畳みに応じて、スプレッド可能な消耗品がポケットから出ることができる開口部を形成するように適合された壊れやすい領域を含む。アプリケータは、ポケットの壊れやすい領域に隣接して配置され、これにより使用者の手（複数可）がスプレッド可能な消耗品に接触することを必要とせずに、使用者がアプリケータを使用して表面上のポケットから出る任意のスプレッド可能な消耗品をスプレッドすることを可能にする。１つまたは複数のグリップは、破断開放型の単回用量パッケージのユーザ制御を容易にするように配置され適合される。
【０００７】
本開示の別の態様によれば、破断開放型の単回用量パッケージは、第１の材料層、第２の材料層、および第３の材料層を含む。第２の材料層は、第１の材料層に結合され、スプレッド可能な消耗品を保持するためにその間にポケットを画定する。ポケットは、破断開放型の単回用量パッケージの曲げまたは折り畳みに応じて、スプレッド可能な消耗品がポケットから出ることができる開口部を形成するように適合された壊れやすい領域を含む。第３の材料層は、第１の材料層に結合される。第３の材料層は、使用者の手（複数可）がスプレッド可能な消耗品に接触することを必要とせずに、使用者がアプリケータを使用して表面上のポケットから出る任意のスプレッド可能な消耗品をスプレッドすることを可能にするポケットの壊れやすい領域に隣接して配置されたアプリケータ、および破断開放型の単回用量パッケージのユーザ制御を容易にするように適合された１つまたは複数のグリップを画定する。
【０００８】
さらなる態様および適用可能な領域は、本明細書で提供される説明から明らかとされよう。本開示の様々な態様は、個別に、または１つまたは複数の他の態様と組み合わせて実装されてもよいことを理解されたい。本明細書における説明および具体的な実施例は、例示のみを目的としており、本開示の範囲を限定するものではないことも理解されたい。
【０００９】
本明細書で説明される図面は、選択された実施形態の例示目的のためのみであり、すべての可能な実施形態ではなく、本開示の範囲を限定することを意図するものではない。
【図面の簡単な説明】
【００１０】
【図１Ａ】本開示の１つの例示的実施形態による、アプリケータおよび２つのグリップを有する破断開放型の単回用量パッケージの等角正面図である。
【図１Ｂ】図１Ａのパッケージの背面図である。
【図１Ｃ】折り畳まれた位置にある図１Ａのパッケージの等角側面図である。
【図２Ａ】別の例示的な実施形態による、複数のグリップとフィンガを含むアプリケータとを有する破断開放型の単回用量パッケージの等角図である。
【図２Ｂ】折り畳み位置にある図２Ａのパッケージの等角図である。
【図３】さらに別の例示的な実施形態による、ブレードを含むアプリケータを有する破断開放型の単回用量パッケージの等角図である。
【図４】別の例示的な実施形態による、ブリッスルを含むアプリケータを有する破断開放型の単回用量パッケージの等角図である。
【図５Ａ】さらに別の例示的な実施形態による、複数のグリップおよび円筒形のアプリケータを含む破断開放型の単回用量パッケージの等角図である。
【図５Ｂ】図５Ａのパッケージの側面図である。
【図６】別の例示的な実施形態による類似の表面領域を有する支持パネルおよび複数のグリップを含む破断開放型の単回用量パッケージの等角図である。
【図７Ａ】さらに別の例示的な実施形態による、インサートを備えた円筒形のアプリケータを含む破断開放型の単回用量パッケージの等角図である。
【図７Ｂ】図７Ａのアプリケータの拡大図である。
【図８Ａ】別の例示的な実施形態による、円形の支持パネルとフィンガを含むアプリケータとを含む破断開放型の単回用量パッケージの上面図である。
【図８Ｂ】折り畳まれた位置にある図８Ａのパッケージの等角図である。
【図８Ｃ】図８Ａのアプリケータの拡大図である。
【図９】さらに別の例示的な実施形態による支持パネルに沿って延びる支持パネルおよびグリップを含む破断開放型の単回用量パッケージの等角図である。
【図１０】別の例示的な実施形態による、支持パネルと、支持パネルに沿って延びるグリップと、ブレードを含むアプリケータとを含む、破断開放型の単回用量パッケージの等角図である。
【図１１】さらに別の例示的な実施形態による、支持パネルと、支持パネルに沿って延びるグリップと、アプリケータとを含む、破断開放型の単回用量パッケージの等角図である。
【発明を実施するための形態】
【００１１】
対応する参照番号は、図面のいくつかの図を通して対応する部分および／または特徴を示す。
【００１２】
例示的な実施形態を、添付の図面を参照してより完全に説明する。
【００１３】
例示的な実施形態は、本開示を詳細に説明し、その範囲を当業者に完全に伝えるように提供される。本開示の実施形態の完全な理解を提供するために、特定の構成要素、デバイス、および方法の例など、多くの具体的な詳細が示されている。特定の詳細を採用する必要はなく、例示的な実施形態は多くの異なる形態で実施されることができ、いずれも本開示の範囲を限定するものと解釈すべきでないことは、当業者には明らかである。いくつかの例示的な実施形態では、周知のプロセス、周知のデバイス構造、および周知の技術は詳細には記載されていない。
【００１４】
本明細書で使用される用語は、特定の例示的な実施形態を説明する目的のためだけであり、限定することを意図するものではない。本明細書で使用される場合、単数形”ａ”、”ａｎ”、および”ｔｈｅ”は、文脈が他に明白に示さない限り、複数形も含むことが意図されている。「備える」、「備えている」、「含む」、および「有する」という用語は、包括的であり、したがって、記載された特徴、整数、ステップ、動作、要素、および／または構成要素の存在を特定するが、１つまたは複数の他の特徴、整数、ステップ、動作、要素、構成要素、および／またはそれらのグループの存在または追加を排除するものではない。本明細書に記載の方法のステップ、プロセス、および動作は、性能の順序として具体的に特定されない限り、必ずしも説明または図示された特定の順序でその性能を必要とすると解釈されるべきではない。付加的または代替的なステップを用いることもできることを理解されたい。
【００１５】
第１、第２、第３などの用語を、様々な要素、構成要素、領域、層および／またはセクションを説明するために本明細書で使用することができるが、これらの要素、構成要素、領域、層および／またはセクションはこれらの用語によって限定されるべきではない。これらの用語は、ある要素、構成要素、領域、層、またはセクションを他の領域、層またはセクションと区別するためにのみ使用されてもよい。「第１」、「第２」などの用語、および他の数値的な用語は、文脈によって明白に示されない限り、順序を意味するものではない。したがって、以下に説明する第１の要素、構成要素、領域、層、またはセクションを、例示的な実施形態の教示から逸脱することなく、第２の要素、構成要素、領域、層、またはセクションと呼ぶことができる。
【００１６】
「内側」、「外側」、「下」、「下方」、「下側」、「上方」、「上側」などのような空間的に相対的な用語は、図に示されているように、ある要素または特徴と別の要素（複数可）または特徴（複数可）との関係を容易に説明するために本明細書で使用されてもよい。空間的に相対的な用語は、図面に描かれている向きに加えて、使用または操作中のデバイスの異なる向きを包含することを意図されてもよい。例えば、図中のデバイスがひっくり返されている場合、他の要素または特徴の「下方」または「下」として記載された要素は、他の要素または特徴の「上方」に配置されることになる。したがって、「下方」の用語の例は、上方および下方の両方の向きを含むことができる。このデバイスは、他の方向に向いていてもよく（９０度または他の向きに回転されてもよい）、本明細書で使用される空間的に相対的な記述子はそれに応じて解釈される。
【００１７】
本開示の１つの例示的な実施形態による破断開放型の単回用量パッケージが、図１Ａ〜図１Ｃに示され、全体に参照番号１００で示されている。図１Ａ〜図１Ｃに示すように、パッケージ１００は、破断開放型の単回用量パッケージ１００を折り畳むために移動可能な支持パネル１０２，１０４、スプレッド可能な消耗品１０８を貯蔵するためのシール可能なポケット１０６、アプリケータ１１０、および支持パネル１０２，１０４に隣接するグリップ１１２，１１４を含む。シール可能なポケット１０６は、支持パネル１０２，１０４に隣接して配置され、破断開放型の単回用量パッケージ１００の折り畳みに応じて、スプレッド可能な消耗品１０８がポケット１０６を出ることができる開口部１１８を形成するように適合された壊れやすい領域１１６を含む。アプリケータ１１０は、ポケット１０６の壊れやすい領域１１６に隣接して配置され、これにより使用者の手（複数可）がスプレッド可能な消耗品１０８に接触することを必要とせずに、使用者がアプリケータを使用して表面上のポケット１０６から出る任意のスプレッド可能な消耗品１０８をスプレッドすることを可能にする。グリップ１１２，１１４は、破断開放型の単回用量パッケージ１００のユーザ制御を容易にするように適合されている。
【００１８】
スプレッド可能な消耗品１０８は、触れることが望ましくないかまたは有害であり、および／または手よりもアプリケータ１１０でスプレッドする方が容易である場合がある。したがって、使用者は、スプレッド可能な消耗品１０８と接触させずに、アプリケータ１１０（および／または本明細書に開示した他のアプリケータのいずれか）を使用して、スプレッド可能な消耗品１０８をポケット１０６から分注し、消耗品１０８を表面上にスプレッドすることができる。このようにして、使用者は、スプレッド可能な消耗品１０８および／または表面に接触することなく、スプレッド可能な消耗品１０８を表面上にスプレッドすることができる。
【００１９】
壊れやすい領域１１６は、様々な異なる方法で形成されてもよい。例えば、壊れやすい領域１１６は、パッケージ１００の一部（例えば、シール可能なポケット１０６）を切断する、パッケージを折り畳む、パッケージを変形させるなどして形成されてもよい。
【００２０】
壊れやすい領域１１６は、パッケージ１００の他の部分（例えば、シール可能なポケット１０６）が破損する前に破損するように設計され、ポケット１０６に貯蔵されたスプレッド可能な消耗品１０８は、壊れやすい領域１１６に形成された開口部１１８を通ってのみパウチを出ることができるようにする。例えば、壊れやすい領域１１６は、ポケット１０６の他の部分を破るのに必要な力よりも小さい力に応じて破損する（例えば、破断するなど）ように設計されてもよい。これを、材料の選択、壊れやすい領域１１６が形成される方法などによって達成することができる。
【００２１】
例えば、ポケット１０６の一部は、他の部分より薄くてもよい。このより薄い部分は、壊れやすい領域１１６と見なされてもよい。例えば、ポケット１０６を、１つまたは複数の材料層で形成することができる。このような場合、ポケット１０６の一部は、壊れやすい領域１１６を形成するために、ポケット１０６の他の部分より少ない層、より薄い層などで形成されてもよい。
【００２２】
図１Ｃの例では、支持パネル１０２，１０４は、アプリケータ１１０とシール可能なポケット１０６との間に結合されている。例えば、アプリケータ１１０は支持パネル１０２，１０４の一方の側に結合され、シール可能なポケット１０６は支持パネル１０２，１０４の対向側に結合される。さらに、壊れやすい領域１１６は、図１Ｂに示すように、支持パネル１０２，１０４の内側隣接縁部の近くに配置される。
【００２３】
いくつかの実施形態では、壊れやすい領域１１６の開口部１１８は、パッケージ１００の一部の移動によって形成されてもよい。例えば、図１Ｃに示すように、一方または両方のパネル１０２，１０４は、パッケージを折り畳ませるために互いに対して移動する（例えば、曲がる、屈曲する、折り畳まれるなど）ことができる。例えば、使用者は、手で一方または両方の支持パネル１０２，１０４を（図１Ｃに示すように互いに内側に向かって）動かすことができる。パッケージ１００は、支持パネル１０２，１０４の間の軸線またはラインに沿って折り畳まれ、パネル１０２，１０４が互いに対して移動することを可能にする。一方または両方の支持パネル１０２，１０４のこの内向きの移動は、ポケット１０６をそれ自体の上に折り畳ませ、それによってポケット１０６、特に壊れやすい領域１１６に追加の圧力を加えて開口部１１８を形成することができる。
【００２４】
一方または両方のパネル１０２，１０４の移動は、スプレッド可能な消耗品１０８をポケット１０６から押し出すこともできる。例えば、壊れやすい領域１１６に適切な力（例えば、圧力）を加えるために、パネル１０２，１０４の一方または両方を動かすことによって、スプレッド可能な消耗品１０８を開口部１１８から押し出すことができる。このようにして、一方または両方のパネル１０２，１０４を互いに向かって内側に動かす（図１Ｃに示す）と、壊れやすい領域１１６が破れて（例えば、スナップするなどして）開口部１１８を形成する、および／または開口部１１８を介してポケット１０６からスプレッド可能な消耗品１０８を押し出すことができる。
【００２５】
いくつかの実施形態では、支持パネル１０２，１０４は、パッケージ１００に構造的完全性を提供することができる。例えば、本明細書で説明されるように、支持パネル１０２，１０４は実質的に剛性の構造であってもよく、これにより、使用者が非常に容易にパッケージ１００を掴み、操作するなどできる。
【００２６】
さらに、図１Ａ〜図１Ｃに示される例示的なパッケージ１００は２つのパネル１０２，１０４を含むが、パッケージ１００（および／または本明細書に開示される任意の他のパッケージ）は、２つより多いまたは少ない移動可能な支持パネルを含んでもよいことは明らかである。例えば、互いに対して曲げ可能な（または他の方法で可動である）部分を含む１つのパネルのみを有することが望ましい場合がある。
【００２７】
アプリケータ１１０（および／または本明細書に開示される他のアプリケータ）は、中実材料であってもよい。そのような例では、本明細書で説明されるように、スプレッド可能な消耗品１０８は、壊れやすい領域１１６が破れた後、アプリケータ１１０とパネル１０２，１０４との間、および表面上に、壊れやすい領域１１６の開口部１１８（例えば、スリットなど）を通って流れることができる。次いで、アプリケータ１１０を使用して、パッケージ１００を移動させることによって、スプレッド可能な消耗品を表面上にスプレッドすることができる。
【００２８】
他の例では、アプリケータ（アプリケータ１１０を含む）は、ポケット１０６を出る任意のスプレッド可能な消耗品を表面に運ぶための１つまたは複数の開口部を画定することができる。例えば、アプリケータ１１０は、図１Ａおよび図１Ｃに示すように、壊れやすい領域１１６の開口部１１８と実質的に整列した開口部１２０（例えば、スリットなど）を画定してもよい。この開口部１２０は、アプリケータ１１０の対向する表面の間に延在することができる。そのような場合、スプレッド可能な消耗品１０８の少なくともいくつかは、本明細書で説明されるように、（壊れやすい領域１１６が破れた後）壊れやすい領域１１６の開口部１１８を通り、アプリケータ１１０の開口部１２０を通り、表面上に流れることができる。次いで、アプリケータ１１０を使用して、上述したようにスプレッド可能な消耗品を表面上にスプレッドすることができる。
【００２９】
図１Ａ〜図１Ｃに示すように、アプリケータ１１０および／またはポケット１０６は、接着剤（例えば、のり、テープなど）および／または締結具を介して、任意の適切な方法でパネル１０２，１０４に結合されてもよい。いくつかの例では、シール可能なポケット１０６は、パネル１０２，１０４と一体的にまたはモノリシックに形成されてもよい。
【００３０】
上述したように、グリップ１１２，１１４は、アプリケータ１１０の対向する側の支持パネル１０２，１０４に隣接して配置される。特に、図１Ａおよび図１Ｃに示すように、グリップ１１２は、支持パネル１０２から延びる突起を含み、グリップ１１４は、支持パネル１０４から延びる突起を含む。いくつかの例では、グリップ１１２，１１４は、ポケット１０６に対向する表面上の支持パネル１０２，１０４に結合（例えば、接着など）されてもよい。
【００３１】
いくつかの例では、グリップ１１２，１１４は、アプリケータ１１０に隣接して配置されてもよく、アプリケータ１１０などに取り外し可能に結合されてもよい。例えば、図１Ａおよび図１Ｃに示すように、グリップ１１２，１１４は、最初はアプリケータ１１０に隣接しており、支持パネル１０２，１０４が上述のように動かされたときにアプリケータ１１０から離れる。
【００３２】
他の例では、アプリケータ１１０は、グリップ１１２，１１４を含んでもよい。例えば、グリップ１１２，１１４およびアプリケータ１１０は、モノリシック構造を有してもよい。そのような例では、グリップ１１２，１１４およびアプリケータ１１０を画定するために、単一の材料（例えば、シリコーンなど）を部分的に切断してもよい。いくつかの例では、モノリシックアプリケータ１１０およびグリップ１１２，１１４は、パネル１０２，１０４と同一の広がりを有してもよい。このように、モノリシックアプリケータ１１０およびグリップ１１２，１１４は、パネル１０２，１０４と実質的に同じサイズ、形状などを有してもよい。あるいは、モノリシックアプリケータ１１０およびグリップ１１２，１１４は、パネル１０２，１０４とは異なる形状、サイズなどを有してもよい。例えば、モノリシックアプリケータ１１０およびグリップ１１２，１１４は、パネル１０２，１０４より狭くてもよい。そのような例では、モノリシックアプリケータ１１０およびグリップ１１２，１１４の表面積は、支持パネル１０２，１０４の表面積よりも小さくてもよい。
【００３３】
グリップ１１２，１１４は、ユーザ制御を容易にするように成形され（例えば、輪郭を付けられるなど）および／またはサイズにされてもよい。例えば、グリップ１１２，１１４は、使用者が所望のようにパッケージ１００を容易に把持し操作することができるような形状にされてもよい。図１Ａ〜図１Ｃの特定の例では、グリップ１１２，１１４（および／または本明細書に開示されている他のグリップ）はそれぞれ、使用者を突き刺すのを防止するために丸い角を有する実質的に長方形の形状を有する。グリップ１１２，１１４は、図１Ａに示すように、互いに同じサイズおよび／または形状を有してもよく、または異なるサイズおよび／または形状を有してもよい。
【００３４】
図１Ａおよび図１Ｃに示すように、アプリケータ１１０は、アプリケータ２１０の上面から延びる突起１２２（例えば、バンプ）を任意に含んでもよい。これらの突起１２２は、上述したようにアプリケータ１１０が表面を横切って移動してスプレッド可能な消耗品１０８をスプレッドするとき、特定の表面に接触点を提供することができる。例えば、表面が人の皮膚である場合、突起１２２は、突起を有さない他のアプリケータよりも皮膚に対する刺激を小さくすることができる。アプリケータ１１０は、複数の突起１２２を含むものとして示されているが、アプリケータ１１０は、図１Ａおよび図１Ｃに示されているものより多いまたは少ない突起を含んでもよく、例えば、突起がなくても、突起が１つでもよい。
【００３５】
図示されているように、図１Ａ〜図１Ｃのアプリケータ１１０は、本明細書で説明されるように使用者を突き刺すのを防止するために丸い角を有する実質的に長方形の形状を有する。他の実施形態では、本明細書に開示されるアプリケータ１１０および／または他のアプリケータは、別の適切な形状を有してもよい。
【００３６】
図２Ａおよび図２Ｂは、支持パネル２０２，２０４、シール可能なポケット２０６、アプリケータ２１０、およびグリップ２１２，２１４を含む別の破断開放型の単回用量パッケージ２００を示している。支持パネル２０２，２０４およびシール可能なポケット２０６は、図１の支持パネル１０２，１０４およびシール可能なポケット１０６と実質的に同様であってもよい。例えば、図２Ａおよび図２Ｂの支持パネル２０２，２０４は、アプリケータ２１０とシール可能なポケット２０６との間に配置される。さらに、シール可能なポケット２０６は、スプレッド可能な消耗品を貯蔵することができ、上述したように、パッケージ２００の曲げまたは折り畳みに応じてスプレッド可能な消耗品がポケット２０６を出ることができる開口部を形成するように適合された壊れやすい領域を含む。
【００３７】
図示されているように、アプリケータ２１０は、シール可能なポケット２０６内に貯蔵されたスプレッド可能な消耗品を塗布するためのフィンガ状の形状をそれぞれ有するブリッスル２０８を含む。図２Ａおよび図２Ｂの特定の例では、フィンガ状のブリッスル２０８は、交互の構成で配置されている。例えば、図２Ａおよび図２Ｂに示すように、ブリッスル２０８は、アプリケータ２１０の対向する側から交互に配置されて延びる。パッケージ２００が破られていない状態にあるとき（例えば、折り畳まれる前）、各ブリッスル２０８は、図２Ａに示すように、同じ平面内に延びることができる。
【００３８】
使用者が壊れやすい領域（図示せず）を破断するためにパッケージ２００の片側または両側を操作すると、アプリケータ２１０の対向する側面が互いに向かって強制される。その結果、ブリッスル２０８は、図２Ｂに示すように、アプリケータ２１０の表面から分離して外方に延びる。分割されたとき、アプリケータ２１０の一方の表面から延びるブリッスル２０８の部分は、アプリケータ２１０の他方の表面から延びるブリッスル２０８の部分と重なることができる。これらのブリッスル２０８は、本明細書で説明するように、使用者の手（複数可）がスプレッド可能な消耗品と接触することを必要とせずに、ポケット２０６を出るスプレッド可能な消耗品をスプレッドするために使用され得る。
【００３９】
他の実施形態では、アプリケータ２１０は、異なる特徴、形状などを含むことができる。例えば、図３および図４は、パッケージ２００と実質的に類似しているが、異なるアプリケータ３１０，４１０を含む破断開放型の単回用量パッケージ３００，４００を示している。パッケージ３００，４００は、図２のパッケージ２００と同様のグリップ、パネル、パッケージ形状などを含むことができる。
【００４０】
図３の特定の例では、パッケージ３００のアプリケータ３１０は、本明細書で説明するように、パッケージ３００のポケットを出る任意のスプレッド可能な消耗品をスプレッドするためのブレード形状またはスパチュラ状の形状を有するフィン３１２を含む。例えば、パッケージ３００が（上述のように）操作されるとき、フィン３１２の一部は、スプレッド可能な消耗品がアプリケータ３１０を通過して出ることを可能にするように分離することができる。図示されているように、フィン３１２は、アプリケータ３１０の全幅にわたって延びている。他の例では、フィン３１２は、アプリケータ３１０の全幅よりも大きく延びても小さく延びてもよい。
【００４１】
図４の特定の例では、パッケージ４００のアプリケータ４１０は、本明細書で説明するように、スプレッド可能な消耗品を表面上にスプレッドするためのブラシ状構造を含む。例えば、アプリケータ４１０は、基部４１２と、基部４１２から延びるブリッスル４１４とを含む。パッケージ４００が破られていない状態にあるとき、ブリッスル４１４のいくつかは、他の対向するブリッスル４１４と実質的に整列し、隣接してもよい（場合によっては接触している）。
【００４２】
パッケージ４００が、壊れやすい領域（図示せず）が上述のように破れた状態にあるとき、ブリッスル４１４は、実質的に互いに整列して隣接したままであり得る。このような例では、アプリケータ４１０は、パッケージ４００が操作されたときにブリッスル４１４がスプレッドすることを防止するための１つまたは複数の構造（例えば、付勢機構など）を含むことができる。このように、スプレッド可能な消耗品は、上述したように、アプリケータ４１０のブリッスル４１４の間を通り、表面上に通過することができる。
【００４３】
図２Ａおよび図２Ｂを再び参照すると、グリップ２１２，２１４はそれぞれ、支持パネル２０２，２０４から延びる複数の突起を含む。例えば、グリップ２１２，２１４は、外側突起２１６，２１８および内側突起２２０Ａ−Ｂ，２２２Ａ−Ｂを含み、これにより、使用者がパッケージ２００の片側または両側を掴み、および／または操作して壊れやすい領域を破り、上記のように、ポケット２０６内に開口部を形成する、および／または、スプレッド可能な消耗品をポケット２０６から押し出すことができる。
【００４４】
図示のように、外側突起２１６，２１８は、支持パネル２０２，２０４の対向する外縁に隣接して配置される。いくつかの実施形態では、外側突起２１６，２１８は、使用者の指／親指を向けるのを助け、パッケージ２００の取り扱い中などにグリップのセキュリティを提供することができる。
【００４５】
図２Ａおよび図２Ｂの例示的な実施形態では、内側突起２２０Ａ−Ｂ，２２２Ａ−Ｂは、それぞれ実質的に三日月形である。図示されているように、各グリップ２１２，２１４の２つの三日月形の突起は、例えば安全な指先グリップを提供するために使用者の指のうちの少なくとも１つを受け入れるための実質的に円形のタッチ面を画定する。他の実施形態では、突起２２０Ａ−Ｂ，２２２Ａ−Ｂを、必要に応じて異なる形状にすることができる。
【００４６】
さらに、図２Ａおよび図２Ｂに示すように、各グリップ２１２，２１４は、例えば、安全な指先グリップを提供するために、使用者の指のうちの１つを受け取るように輪郭を付けられている。例えば、グリップ２１２，２１４はそれぞれ、内側突起２２０Ａ−Ｂ，２２２Ａ−Ｂの１つのセットに隣接して配置された凹部２２４，２２６を含む。突起２２０Ａ−Ｂ，２２２Ａ−Ｂはそれぞれ、対応する凹部２２４，２２６に隣接して高側から反対側の低側に傾斜する表面を含む。
【００４７】
図２Ａに示すように、支持パネル２０２，２０４は実質的に同じ形状を有する。例えば、パネル２０２，２０４はそれぞれ、中間部分と、対向端部とを含む。各パネル２０２，２０４の対向端部の一方は、中間部分よりも大きく（例えば、幅がより大きい）、他方の対向端部は、中間部分よりも小さい（例えば、幅がより小さい）。この狭い中間部分は、表面の特定の部分にわたってスプレッド可能な消耗品をスプレッドするときに、使用者がより高い制御性（例えば、操縦性など）を有することを可能にする。他の実施形態では、支持パネル２０２，２０４は、異なる形状を有してもよい。
【００４８】
さらに、図２Ｂに示すように、パッケージ２００は、上述のように、パッケージ２００が折り畳まれたときに蝶形を有する。例えば、パネル２０２，２０４はそれぞれ、蝶の羽のような形状を形成することができる。
【００４９】
図５Ａおよび図５Ｂは、本明細書で説明されるように、スプレッド可能な消耗品を貯蔵およびスプレッドするための別の破断開放型の単回用量パッケージ５００を示している。図５Ａおよび図５Ｂに示すように、パッケージ５００は、支持パネル５０２，５０４と、スプレッド可能な消耗品を貯蔵するためのシール可能なポケット５０６と、アプリケータセクション５１０Ａ，５１０Ｂ（まとめてアプリケータ５１０）と、支持パネル５０２，５０４に隣接するグリップ５１２，５１４とを含む。アプリケータセクション５１０Ａ，５１０Ｂは、それぞれ支持パネル５０２，５０４に結合される。支持パネル５０２，５０４およびシール可能なポケット５０６は、上述の図１の支持パネル１０２，１０４およびシール可能なポケット１０６と同様に機能する。例えば、図５Ａおよび図５Ｂの支持パネル５０２，５０４は、ポケット５０６の壊れやすい領域（図示せず）を破り、（例えば、アプリケータ５１０内の開口部を介して）スプレッド可能な消耗品をポケット５０６から表面上などに押し出すように曲げ可能である。
【００５０】
図示されるように、各アプリケータセクション５１０Ａ，５１０Ｂは、実質的に半円筒形の形状を有する。このように、本明細書で説明されるように一方または両方の支持パネル５０２，５０４が互いに向かって（例えば折り畳まれて）移動すると、アプリケータセクション５１０Ａ，５１０Ｂは互いに隣接して、スプレッド可能な消耗品を表面上に塗布するためのパッドを形成することができる。この間、アプリケータ５１０は、円筒形状を有することができる。
【００５１】
いくつかの実施形態では、アプリケータセクション５１０Ａ，５１０Ｂはそれぞれ、中空の内部を有することができる。その結果、各アプリケータセクションは、アプリケータ５１０と接触する表面の輪郭に適合するように可撓性であってもよい。あるいは、一方または両方のアプリケータセクションは、実質的に中実などであってもよい。
【００５２】
さらに、図５Ａおよび図５Ｂに示すように、グリップ５１２，５１４は、支持パネル５０２，５０４から延びる様々な突起（例えば、グリップ部分など）を含む。例えば、グリップ５１２，５１４は、支持パネル５０２の外縁に隣接して配置された外側突起５１６と、外側突起５１６とアプリケータセクション５１０Ａとの間に位置する複数の内側突起（例えばグリップキュー）５１８とを含む。図５Ａおよび図５Ｂの突起は、図２の突起２１６，２１８，２２０，２２２と同じ機能、利点等を有することができる。
【００５３】
突起５１６，５１８は、パッケージ５００を最も効果的かつ効率的に取り扱うための主要なタッチポイントを使用者に示すことができる。例えば、外側突起５１６は楕円形の形状を有し、内側突起５１８は、シャフト状グリップを形成するように実質的に三日月形である。あるいは、突起５１６，５１８は、必要に応じて別の形状および／またはグリップを提供するように輪郭を付けられてもよい。
【００５４】
図５Ａに示すように、支持パネル５０２，５０４は砂時計形状を有する。例えば、各パネルは、中間部分と対向端部とを含み、各対向端部は、中間部分の幅よりも大きい幅を有する。さらに、図５Ａに示すように、各支持パネル５０２，５０４の表面積は、対応するグリップ５１２，５１４の表面積よりも大きい。
【００５５】
他の実施形態では、支持パネルの表面積は、対応するグリップの表面積と実質的に同じであってもよい。例えば、図６は、図５のパッケージ５００と実質的に同様であるが、各支持パネルの表面積が対応するグリップの表面積と実質的に同じである別の破断開放型の単回用量パッケージ６００を示している。
【００５６】
図７Ａおよび図７Ｂは、図５および図６のパッケージ５００，６００と実質的に同様の別の破断開放型の単回用量パッケージ７００を示している。例えば、パッケージ７００は、支持パネル７０２，７０４と、スプレッド可能な消耗品７０８を貯蔵するためのシール可能なポケット７０６と、アプリケータ７１０と、支持パネル７０２に隣接するグリップ７１２とを含む。図示されていないが、パッケージ７００はまた、支持パネル７０４に隣接するグリップを含む。これらのグリップは、グリップ７１２と実質的に同様である。支持パネル７０２，７０４、シール可能なポケット７０６、グリップ、およびアプリケータ７１０は、上述の図５の支持パネル５０２，５０４、シール可能なポケット５０６、グリップ５１２，５１４、およびアプリケータ５１０と同様に機能する。例えば、図７に示すように、支持パネル７０２，７０４は、ポケット７０６の壊れやすい領域（図示せず）を破り、スプレッド可能な消耗品７０８をポケット７０６から表面上に押し出すように移動可能である。
【００５７】
いくつかの実施形態では、アプリケータ７１０（例えば、セクション７１０Ａ，７１０Ｂで形成される）は、ウィッキングデバイスとして機能するインサートを含んでもよい。例えば、図７Ｂに示すように、アプリケータ７１０は、アプリケータセクション７１０Ａ，７１０Ｂに結合されたインサート７１４を含む。スプレッド可能な消耗品７０８がポケット７０６から押し出されると、インサート７１４は、このスプレッド可能な消耗品を集め、上述したようにスプレッド可能な消耗品を表面上にスプレッドする。
【００５８】
図８Ａおよび図８Ｂは、図２のパッケージ２００と実質的に同様であるが、異なる形状を有する別の破断開放型の単回用量パッケージ８００を示している。例えば、パッケージ８００は、支持パネル８０２，８０４と、スプレッド可能な消耗品８０８を貯蔵するためのシール可能なポケット８０６と、アプリケータ８１０と、グリップ８１２，８１４とを含む。支持パネル８０２，８０４、ポケット８０６、アプリケータ８１０、およびグリップ８１２，８１４は、上述した図１の支持パネル、ポケット、アプリケータ、およびグリップと実質的に同様に機能する。図８Ａ〜図８Ｃに示すように、アプリケータ８１０は、図２のブリッスル２０８と実質的に同様のブリッスル８１６を含む。
【００５９】
図８Ａおよび図８Ｂに示すように、グリップ８１２，８１４はそれぞれ、凹部８２２と、凹部８２２を取り囲む外側突起８１８と、外側突起８１８に隣接する内側突起８２０とを含む。突起は、上述したように、使用者がパッケージ８００の片側または両側を掴むおよび／または操作することを可能にする。
【００６０】
図８Ａおよび図８Ｂの特定の例では、支持パネル８０２，８０４およびグリップ８１２，８１４は実質的に円形である。あるいは、支持パネル８０２，８０４および／またはグリップ８１２，８１４は、必要に応じて他の適切な形状であってもよい。
【００６１】
図９〜図１１は、本明細書に開示されたパッケージと実質的に同様に機能するが、異なる形状を有する破断開放型の単回用量パッケージ９００，１０００，１１００を示している。例えば、図９のパッケージ９００は、涙滴形状またはリーフ形状であり、図１０および図１１のパッケージ１０００，１１００はそれぞれ楕円形状である。
【００６２】
図９に示すように、パッケージ９００は、支持パネル９０２，９０４と、シール可能なポケット（図示せず）に貯蔵されたスプレッド可能な消耗品９０８をスプレッドするためのアプリケータ９１０と、グリップ９１２とを含む。グリップ９１２は、支持パネル９０２，９０４に沿って延び、本明細書で説明するようにパッケージ９００を操作するための使用者の指を受ける凹部（例えば、支持パネル９０２，９０４の部分）を画定する３つの突起９１４，９１６，９１８を含む。
【００６３】
例えば、使用者は、壊れやすい領域（図示せず）を破るために、および／またはスプレッド可能な消耗品を提供するために、指や親指を凹部に置いて、一方または両方の支持パネル９０２，９０４を互いに対して移動させることができる。シール可能なポケットの壊れやすい領域が破られた後、使用者が１つまたは複数のパネル９０２，９０４を操作するのに応じて、スプレッド可能な消耗品９０８は、突起９１４，９１６，９１８の１つまたは複数に沿って（例えば、アプリケータ９１０の開口部を介して）アプリケータ９１０の外に流されることができる。
【００６４】
図１０に示すように、パッケージ１０００は、支持パネル１００２，１００４と、シール可能なポケット１００６に貯蔵されたスプレッド可能な消耗品１００８をスプレッドするためのアプリケータ１０１０と、パネル１００２，１００４から延びるグリップとを含む。具体的には、グリップ１０１２がパネル１００２から延び、別の実質的に同一のグリップ（図示せず）がパネル１００４から延びる。図１０の特定の例では、アプリケータ１０１０は、図３のブレード形状のアプリケータ３１０と実質的に同様に機能するブレードを含む。
【００６５】
グリップ１０１２（および対向するグリップ）は、外側突起１０１４、内側突起１０１６、および突起１０１４，１０１６によって画定される２つの凹部１０１８，１０２０を含む。突起１０１４，１０１６および凹部１０１８，１０２０は、本明細書で説明するように、使用者がパッケージ１０００を操作することを可能にする。
【００６６】
パネル１００２，１００４はそれぞれ、細長い卵形の形状を有する。例えば、各パネル１００２，１００４は、中間部分と対向端部とを含む。各パネルの中間部分は、各端部の幅よりも広い幅を有する。
【００６７】
図１１に示すように、パッケージ１１００は、支持パネル１１０２，１１０４と、スプレッド可能な消耗品１１０８を貯蔵するためのシール可能なポケット１１０６と、パッケージ１１００からスプレッド可能な消耗品１１０８を流すことができる開口部を有するアプリケータ１１１０と、パネル１１０２，１１０４から延びるグリップとを含む。例えば、グリップ１１１２がパネル１１０２から延び、別の実質的に同一のグリップ（図示せず）がパネル１１０４から延びる。
【００６８】
図１１のグリップはそれぞれ、対応する支持パネル１１０２，１１０４に沿って延び、凹部（例えば、支持パネル１１０２，１１０４の一部）を画定する３つの突起１１１４，１１１６，１１１８を含む。図１１の突起１１１４，１１１６，１１１８および凹部は、図９の突起９１４，９１６，９１８および凹部と実質的に同様である。
【００６９】
突起１１１４，１１１６，１１１８およびアプリケータ１１１０は、組み合わされると、くらげ形状を形成する。例えば、突起１１１４，１１１６，１１１８は触手と見なされてもよく、アプリケータ１１１０は頭部と見なされてもよい。
【００７０】
本明細書に開示されている破断開放型の単回用量パッケージは特定の特徴を含むが、１つまたは複数の特徴が任意であることは明らかである。したがって、本明細書に開示されるパッケージのうちのいずれか１つおよび／または別の適切なパッケージは、本開示の範囲から逸脱することなく、本明細書で開示される１つまたは複数の任意の特徴を含んでもよい。
【００７１】
さらに、パッケージは、任意の適切な方法によって製造されてもよい。例えば、パッケージは、異なる材料層を互いに結合することによって製造されてもよい。そのような例では、破断開放型の単回用量パッケージは、互いに結合された３つの材料層を含むことができる。材料の１つの層（例えば、第１の層）は、材料の別の層（例えば、第２の層）に結合され、材料の２つの層の間にシール可能なポケット（例えば、本明細書に開示されるシール可能なポケットの１つ）を画定することができる。材料の別の層（例えば、第３の層）は、アプリケータ（例えば、本明細書に開示されるアプリケータの１つ）および１つまたは複数のグリップ（例えば、本明細書に開示される１つまたは複数のグリップ）を画定することができる。いくつかの例では、第２の材料層は、１つまたは複数の支持層（例えば、本明細書に開示される１つまたは複数の支持層）を画定することができる。
【００７２】
さらに、パッケージは特定の形状を形成するが、本明細書に開示されるパッケージのいずれか１つおよび／または別の適切なパッケージが別の適切な形状を形成し得ることは明らかである。例えば、パッケージ（グリップ、支持パネル、アプリケータなどを含む）は、使用者の皮膚を突き刺すのを防止するために、丸い角、縁、表面などを含んでもよく、アプリケータの幅を最大にするなどして、使用者の指に適合するようにする。
【００７３】
パッケージ（例えば、容器と見なされることもある）は、単回用量パッケージと見なされる。例えば、それらの壊れやすい領域が破られた後にパッケージを再使用（例えば、再充填など）することはできない。
【００７４】
本明細書で開示されるグリップ、アプリケータ、ポケット、支持パネルなどを、任意の適切な材料で形成することができる。例えば、支持パネルは、プラスチック、ボール紙、シリコーンなどを含んでもよく、グリップ、アプリケータ、および／またはポケットは、シリコーンおよび／または他の適切な材料を含んでもよい。いくつかの実施形態では、シリコーンは約６０ショアＡ〜約８０ショアＡの硬度を有してもよい。他の実施形態では、シリコーンは６０ショアＡ未満の、および／または８０ショアＡを超える硬度を有してもよい。このように、アプリケータは、必要に応じて、表面の輪郭に適合するように可撓性であってもよい。他の例では、グリップは、使用者が掴んだときにグリップが安定していることを確実にするために実質的に堅いものであってもよい。
【００７５】
本明細書に開示された支持パネルおよび／またはパッケージの他の表面は、テクスチャ加工された表面（例えば、印刷されたテクスチャ加工仕上げ、スプレー仕上げなど）を有してもよい。例えば、本明細書で開示される支持パネル、グリップなどのいずれか１つは、パッケージの片側または両側を掴むおよび／または操作する使用者の能力を高めるために、テクスチャ加工されてもよく、材料の層などを含んでもよい。
【００７６】
本明細書で開示される表面は、様々な異なる物体の表面を含んでもよい。例えば、表面は人の皮膚であってもよい。このような例では、使用者は、皮膚を切断したり、悪化させたりすることなく、アプリケータを使用者の皮膚および／または他の人の皮膚にこすることによって、アプリケータの１つを使用してスプレッド可能な消耗品をスプレッドすることができる。このように、パッケージは、スプレッド可能な消耗品を他の重要な領域に適用するために使用されてもよい。そのような場合、スプレッド可能な消耗品は、様々な異なる液体、クリーム、軟膏、ゲル、ペースト、および／または人の皮膚に一般的に塗布される他の適切なスプレッド可能な消耗品を含んでもよい。例えば、スプレッド可能な消耗品は、薬用または非薬用の材料、処方または非処方材料（複数可）などを含んでもよい。
【００７７】
他の実施形態では、表面は、食品関連製品、レンガ、木片、プラスチック片などの一部であってもよい。そのような場合、スプレッド可能な消耗品は、調味料（例えば、ケチャップ、バーベキューソースなど）、コーキング剤、接着剤、および／または他の適切なスプレッド可能な消耗品を含んでもよい。
【００７８】
本明細書で開示されるシール可能なポケットは、任意の適切な容積を有してもよい。例えば、シール可能なポケットは、約０．２５ｍＬ〜約１ｍＬのスプレッド可能な消耗品を貯蔵するための容積を有することができる。他の例では、容積は、多かれ少なかれスプレッド可能な消耗品を貯蔵するために、より大きくても小さくてもよい。
【００７９】
実施形態の前述の説明は、例示および説明のために提供されたものである。網羅的であること、または本開示を限定することを意図するものではない。特定の実施形態の個々の要素または特徴は一般にその特定の実施形態に限定されないが、適用可能であれば、交換可能であり、特に示されていないまたは記載されていない場合でも選択された実施形態で使用できる。同様に、多くの方法でも変化し得る。そのような変形は、本開示からの逸脱と見なされるべきではなく、そのような修正のすべては、本開示の範囲内に含まれることが意図される。
【図１Ａ】
2019522595.tif 000003
【図１Ｂ】
2019522595.tif 000004
【図１Ｃ】
2019522595.tif 000005
【図２Ａ】
2019522595.tif 000006
【図２Ｂ】
2019522595.tif 000007
【図３】
2019522595.tif 000008
【図４】
2019522595.tif 000009
【図５Ａ】
2019522595.tif 000010
【図５Ｂ】
2019522595.tif 000011
【図６】
2019522595.tif 000012
【図７Ａ】
2019522595.tif 000013
【図７Ｂ】
2019522595.tif 000014
【図８Ａ】
2019522595.tif 000015
【図８Ｂ】
2019522595.tif 000016
【図８Ｃ】
2019522595.tif 000017
【図９】
2019522595.tif 000018
【図１０】
2019522595.tif 000019
【図１１】
2019522595.tif 000020
【国際調査報告】
2019522595.tif 000021
2019522595.tif 000022